(57)【要約】【課題】ネットワークを介して、電子装置に対してリモート制御することができる電子装置のリモート制御システム及びリモート制御方法を提供する。【解決手段】本発明に係る電子装置のリモート制御システムは、制御装置の中にインストールされて実行され、且つネットワークに接続されている１つ或いは複数の被制御装置を選択し、且つ前記被制御装置に対してリモート制御スケジュールを設定する設定モジュールと、選択した被制御装置の身分識別情報及び前記リモート制御スケジュールをネットワークにアップロードし、且つネットワークを介して前記リモート制御スケジュールを前記被制御装置に送信することで、前記被制御装置を制御して前記リモート制御スケジュールに基づいて対応する操作を実行させる第一通信モジュールと、を備える。【選択図】図３
2014131282.tif 000002
【特許請求の範囲】
【請求項１】
制御装置の中にインストールされて実行される電子装置のリモート制御システムであって、
ネットワークに接続されている１つ或いは複数の被制御装置を選択し、且つ前記被制御装置に対してリモート制御スケジュールを設定する設定モジュールと、
選択された被制御装置の身分識別情報及び前記リモート制御スケジュールをネットワークにアップロードし、且つネットワークを介して前記リモート制御スケジュールを前記被制御装置に送信することで、前記被制御装置を制御して前記リモート制御スケジュールに基づいて対応する操作を実行させる第一通信モジュールと
を備えることを特徴とする電子装置のリモート制御システム。
【請求項２】
前記第一通信モジュールは、ネットワークを介して各被制御装置に確認情報を送信して、前記被制御装置が前記制御装置のコントロールを受けるかどうかを確認することを特徴とする請求項１に記載の電子装置のリモート制御システム。
【請求項３】
前記リモート制御スケジュールは、制御指令及び制御時間を含むことを特徴とする請求項１又は２に記載の電子装置のリモート制御システム。
【請求項４】
前記制御指令は、
前記被制御装置の表示画面をロックすること、
前記被制御装置の応用プログラムをロックすること、及び
前記被制御装置の音量を調節することを含むこと
を特徴とする請求項３に記載の電子装置のリモート制御システム。
【請求項５】
制御装置の中で応用される電子装置のリモート制御方法であって、
ネットワークに接続されている１つ或いは複数の被制御装置を選択し、且つ前記被制御装置に対してリモート制御スケジュールを設定する設定ステップと、
選択された被制御装置の身分識別情報及び前記リモート制御スケジュールをネットワークにアップロードし、且つネットワークを介して前記リモート制御スケジュールを前記被制御装置に送信することで、前記被制御装置を制御して前記リモート制御スケジュールに基づいて対応する操作を実行させる通信ステップと
を備えることを特徴とする電子装置のリモート制御方法。
【請求項６】
前記通信ステップは前記リモート制御スケジュールを前記被制御装置に送信する前に、ネットワークを介して各被制御装置に確認情報を送信して、各被制御装置が前記制御装置からのコントロールを受けるかどうかを確認するステップをさらに備えることを特徴とする請求項５に記載の電子装置のリモート制御方法。
【請求項７】
被制御装置の中にインストールされて実行される電子装置のリモート制御システムであって、
ある制御装置からのコントロールを受けるための確認モジュールと、
前記制御装置がネットワークを介して送信したリモート制御スケジュールを受信するための第二通信モジュールと、
前記リモート制御スケジュールに基づいて、前記被制御装置をコントロールするための実行モジュールと
を備えることを特徴とする電子装置のリモート制御システム。
【請求項８】
ある被制御装置の中で応用される電子装置のリモート制御方法であって、
ある制御装置からのコントロールを受ける確認ステップと、
前記制御装置がネットワークを介して送信したリモート制御スケジュールを受信する通信ステップと、
前記リモート制御スケジュールに基づいて、前記被制御装置をコントロールする実行ステップと
を備えることを特徴とする電子装置のリモート制御方法。
【発明の詳細な説明】
【技術分野】
【０００１】
本発明は、リモート制御技術に関し、特に電子装置のリモート制御システム及びリモート制御方法に関するものである。
【背景技術】
【０００２】
電子製品の普及に伴い、電子製品は人々の日常生活の一部になった。従って、多くの人々が、時間を電子装置に費やし、周りの人々との交流しない又は優先的に処理すべきことを忘れてしまうことがある。
【０００３】
例えば、就寝時間になったが、父親は明日が出勤日であるにも関わらずコンピュータで映画を見続け、また、息子は部屋にこもり、タブレットパソコンでゲームに夢中になっている。娘も、携帯電話機によって友達と絶えず連絡し合っている。従って、妻は、幾度となく注意しても、各種の電子製品に夢中になっている家族を管理することができない。また、授業中においても、生徒達は先生の話を聞かずに、頭を下げてスマートフォン或いはタブレットパソコンなどで、ゲームをするか又はネットサーフィンをしている。
【発明の概要】
【発明が解決しようとする課題】
【０００４】
以上の問題点に鑑みて、本発明は、ネットワークを介して、電子装置に対してリモート制御することができる電子装置のリモート制御システム及びリモート制御方法を提供することを目的とする。
【課題を解決するための手段】
【０００５】
上記の課題を解決するために、本発明に係る電子装置のリモート制御システムは、制御装置の中にインストールされて実行される。また、前記電子装置のリモート制御システムは、ネットワークに接続されている１つ或いは複数の被制御装置を選択し、且つ前記被制御装置に対してリモート制御スケジュールを設定する設定モジュールと、選択された被制御装置の身分識別情報及び前記リモート制御スケジュールをネットワークにアップロードし、且つネットワークを介して前記リモート制御スケジュールを前記被制御装置に送信することで、前記被制御装置を制御して前記リモート制御スケジュールに基づいて対応する操作を実行させる第一通信モジュールと、を備える。
【０００６】
また、上記の課題を解決するために、本発明に係る電子装置のリモート制御方法は、制御装置の中で応用され、且つネットワークに接続されている１つ或いは複数の被制御装置を選択し、且つ前記被制御装置に対してリモート制御スケジュールを設定する設定ステップと、選択された被制御装置の身分識別情報及び前記リモート制御スケジュールをネットワークにアップロードし、且つネットワークを介して前記リモート制御スケジュールを前記被制御装置に送信することで、前記被制御装置を制御して前記リモート制御スケジュールに基づいて対応する操作を実行させる通信ステップと、を備える。
【０００７】
また、上記の課題を解決するために、本発明に係る電子装置のリモート制御システムは、被制御装置の中にインストールされて実行される。前記電子装置のリモート制御システムは、ある制御装置からのコントロールを受けるための確認モジュールと、前記制御装置がネットワークを介して送信したリモート制御スケジュールを受信するための第二通信モジュールと、前記リモート制御スケジュールに基づいて、前記被制御装置をコントロールするための実行モジュールと、を備える。
【０００８】
また、上記の課題を解決するために、本発明に係る電子装置のリモート制御方法は、被制御装置の中で応用され、且つある制御装置からのコントロールを受ける確認ステップと、前記制御装置がネットワークを介して送信したリモート制御スケジュールを受信する通信ステップと、前記リモート制御スケジュールに基づいて、前記被制御装置をコントロールする実行ステップと、を備える。
【発明の効果】
【０００９】
従来の技術と異なり、本発明は、制御端とする制御装置を用いて、ネットワークを介して複数の被制御装置を遠隔制御することによって、被制御装置は、前記制御装置によりロックされて使用できなくなる。よって、本発明は、被制御装置を有する人々を管理して、人々を電子製品から離すことができる。
【図面の簡単な説明】
【００１０】
【図１】本発明の実施形態に係る電子装置のリモート制御システムの実行環境を示す図である。
【図２Ａ】図１に示した電子装置のリモート制御システムの制御端ソフトの機能モジュールを示す図である。
【図２Ｂ】図１に示した電子装置のリモート制御システムの被制御端ソフトの機能モジュールを示す図である。
【図３】本発明の実施形態に係る電子装置のリモート制御方法の制御装置の制御方法のフローチャートである。
【図４】本発明の実施形態に係る電子装置のリモート制御方法の被制御装置の制御方法のフローチャートである。
【図５】リモート制御スケジュールを示す図である。
【発明を実施するための形態】
【００１１】
図１に示すように、本発明の実施形態に係る電子装置のリモート制御システムは、ネットワーク３に接続されている制御装置１及び１つ或いは複数の被制御装置２の中にインストールされて実行される。前記制御装置１及び前記被制御装置２は、それぞれスマートフォン、タブレットパソコン、携帯情報端末（ＰＤＡ）、ノートパソコン、デスクトップコンピュータ或いはスマートテレビ等であっても良い。ネットワーク３は、イントラネット（Ｉｎｔｒａｎｅｔ）、インターネット或いはＧＰＲＳ、Ｗｉ−Ｆｉ（登録商標）／ＷＬＡＮ、３Ｇ／ＷＣＤＭＡ（登録商標）及び３．５Ｇ／ＨＳＤＰＡ等の他のタイプの通信ネットワークであっても良い。
【００１２】
また、前記電子装置のリモート制御システムは、制御端ソフト１０及び被制御端ソフト２０を含む。制御端ソフト１０は、制御装置１の中にインストールされている。被制御端ソフト２０は、各被制御装置２の中にインストールされている。
【００１３】
図２Ａ及び図２Ｂに示すように、制御端ソフト１０は、設定モジュール１００及び第一通信モジュール１０１を備える。被制御端ソフト２０は、確認モジュール２００、第二通信モジュール２０１及び実行モジュール２０２を備える。上記の各モジュールは、ある特定の機能を実現するためのプログラムであり、且つ制御装置１及び被制御装置２のメモリの中に格納されて、制御装置１及び被制御装置２のプロセッサにより実行されることで各自の機能を実現する。例えば、制御装置１は、被制御装置２のロック或いはアンロックをコントロールする。前記ロックは、ある応用プログラムのロック及び表示画面（ユーザ・インターフェース）のロック等を含む。
【００１４】
以下、図３及び図４を併せて参照して、モジュール１００〜１０１及びモジュール２００〜２０２の機能を詳細に説明する。
【００１５】
図３は、本発明に係る電子装置のリモート制御方法における制御装置１の動作原理を示すフローチャートである。必要に応じて、図面に示している各ステップの実行順序を変更する又はあるステップを省略することができる。
【００１６】
ステップＳ１０において、設定モジュール１００は、１つ或いは複数の被制御装置２を選択し、且つ選択した被制御装置２に対してリモート制御スケジュールを設定する。ネットワーク３に接続されている各被制御装置２は、それぞれ１つで且つ唯一のＩＰ（ｉｎｔｅｒｎｅｔ  ｐｒｏｔｏｃｏｌ）アドレスを備える。従って、本実施形態において、設定モジュール１００は、このＩＰアドレスによって、被制御装置２を選択する。前記リモート制御スケジュールは、被制御装置２の制御指令及び制御時間を含む。
【００１７】
図５は、あるリモート制御スケジュールを示している。例を挙げると、第一被制御装置に対する制御指令は表示画面をロックすることであり、第一被制御装置の制御時間は１２：００〜１３：００である。つまり、第一被制御装置の表示画面は１２：００〜１３：００の時間帯においてロックされ、暗くなる。
【００１８】
ステップＳ１１において、第一通信モジュール１０１は、選択された被制御装置２の身分識別情報（例えば、ＩＰアドレス）、及び前記リモート制御スケジュールをネットワーク３にアップロードする。
【００１９】
ステップＳ１２において、第一通信モジュール１０１は、各被制御装置２の身分識別情報に基づいて、ネットワーク３を介して各被制御装置２に制御を確認するための情報（制御確認情報）を送信する。本実施形態において、制御装置１は、被制御装置２を制御する前に、被制御装置２の同意を得なければならない。従って、ネットワーク３は、設定モジュール１００が選択した各被制御装置２に、「制御装置１のコントロールを受け入れるかどうか」というような確認情報を送信する。
【００２０】
ステップＳ１３において、第一通信モジュール１０１は、制御装置１がネットワーク３を介して被制御装置２の同意信号を受信したかどうかを判断する。第一通信モジュール１０１は、ネットワーク３を介して被制御装置２に「制御装置１のコントロールを受け入れるかどうか」という確認情報を送信し、且つ１つの確認ボタン及び１つのキャンセルボタンを提供する。被制御装置２の利用者が前記確認ボタンを押圧した場合、第一通信モジュール１０１は被制御装置２から同意信号を受信したと判断し、且つ下記のステップＳ１５を実行する。これとは逆に、被制御装置２の利用者が前記キャンセルボタンを押圧した場合、第一通信モジュール１０１は被制御装置２から同意信号を受信していないと判断し、且つ下記のステップＳ１４を実行する。
【００２１】
ステップＳ１４において、第一通信モジュール１０１が制御装置１に制御が拒否された情報を送信することによって、制御装置１の利用者はどの被制御装置２が制御装置１のコントロールを受けていないかがわかる。
【００２２】
ステップＳ１５において、第一通信モジュール１０１は、ネットワーク３を介して、被制御装置２に対応するリモート制御スケジュールを送信して、被制御装置２を制御して前記リモート制御スケジュールに基づいて対応する操作を実行させる。例えば、図５に示すように、前記リモート制御スケジュールの中のスケジュール１及びスケジュール３を第一被制御装置に送信して、第一被制御装置を制御して、１２：００〜１３：００との時間帯に被制御装置２の表面画面をロックし、且つ００：００〜０７：００との時間帯に第一被制御装置の音量をＹに調節する。
【００２３】
図４は、本発明に係る電子装置のリモート制御方法における被制御装置２の動作原理を示すフローチャートである。必要に応じて、図面に示している各ステップの実行順序を変更する又はあるステップを省略することができる。
【００２４】
ステップＳ２０において、確認モジュール２００は、被制御装置２になることを同意するかどうかを判断する。上述したように、第一通信モジュール１０１は、ネットワーク３を介して、各被制御装置２に確認情報を送信し、且つ１つの確認ボタン及び１つのキャンセルボタンを提供する。利用者が前記確認ボタンを押圧すると、確認モジュール２００は、当該利用者が持っている被制御装置が被制御装置２になることを同意したと判断し、且つ下記のステップＳ２１を実行する。逆に、利用者が前記キャンセルボタンを押圧すると、確認モジュール２００は、当該利用者が持っている被制御装置が被制御装置２になることを同意しないと判断し、過程はここで終了する。
【００２５】
ステップＳ２１において、第二通信モジュール２０１は、第一通信モジュール１０１がネットワーク３により送信されるリモート制御スケジュールを受信する。
【００２６】
ステップＳ２２において、実行モジュール２０２は、あるリモート制御を実行することが「表示画面をロックする」という制御指令及び１２：００〜１３：００という制御時間を含むかどうかを判断する。例えば、被制御装置２に送信したリモート制御スケジュールが「００」という実行条件を含む場合、実行モジュール２０２は、「表示画面をロックする」というリモート制御を実行する時間が１２：００になったかどうかを判断する。
【００２７】
ステップＳ２３において、実行条件を満たす場合、実行モジュール２０２は、当該リモート制御動作を実行する。例えば、被制御装置２の表示画面をロックしたり、被制御装置２のある応用プログラムをロックしたり、被制御装置２の音量を調節したりする。逆に、実行条件を満たさない場合、上記のステップＳ２２を繰り返して実行する。
【符号の説明】
【００２８】
１  制御装置
２  被制御装置
３  ネットワーク
１０  制御端ソフト
１００  設定モジュール
１０１  第一通信モジュール
２０  被制御端ソフト
２００  確認モジュール
２０１  第二通信モジュール
２０２  実行モジュール
【図１】
2014131282.tif 000003
【図２Ａ】
2014131282.tif 000004
【図２Ｂ】
2014131282.tif 000005
【図３】
2014131282.tif 000006
【図４】
2014131282.tif 000007
【図５】
2014131282.tif 000008